(57)【特許請求の範囲】
【請求項１】
ディジタル音声放送信号を選択受信する受信部と、
該受信部により受信されたディジタル音声放送信号に基づき、プログラムデータと制御用情報データとを再生するデータ再生部と、
該データ再生部により再生されたプログラムデータに基づく再生音声信号を得る音声信号出力部と、
上記データ再生部により再生された制御用情報データが供給され、該制御用情報データにおける上記プログラムデータに含まれるアナウンスメントデータに対応する部分に基づいて、上記アナウンスメントデータがあらわすアナウンスメントの周期を検出し、検出された周期をあらわすアナウンスメント周期検出出力を送出する制御ユニットと、
上記データ再生部により再生されたプログラムデータの書込み及び読出しが行われるメモリ部と、
上記データ再生部により再生されたプログラムデータ及び上記制御ユニットから送出されるアナウンスメント周期検出出力が供給され、上記プログラムデータが所定の周期をもって複数回繰り返されるアナウンスメントをあらわすアナウンスメントデータであるとき、上記メモリ部に、上記アナウンスメントの１周期分をエラーを伴わないものとしてあらわすアナウンスメントデータの部分が書き込まれることになる状態を設定するアナウンスメントデータ制御部と、
を備えて構成される放送信号受信装置。
【請求項２】
データ再生部により再生されたプログラムデータとメモリ部から読み出されたアナウンスメントデータとを選択的に音声信号出力部に供給するデータ切換部が設けられたことを特徴とする請求項１記載の放送信号受信装置。
【請求項３】
アナウンスメントデータ制御部が、アナウンスメントデータを形成する、アナウンスメントの１周期分に対応する複数の音声フレームの夫々に含まれるフレーム音声データを点検し、エラーを伴わないフレーム音声データを含む音声フレームのみがメモリ部に書き込まれる状態とするとともに、エラーを伴うフレーム音声データを含む音声フレームに代えて、次以降のアナウンスメントの１周期分に対応する複数の音声フレームのうちのエラーを伴わないフレーム音声データを含むものであって、上記エラーを伴うフレーム音声データを含む音声フレームに対応する音声フレームが上記メモリ部に書き込まれる状態とすることを特徴とする請求項１または２記載の放送信号受信装置。
【請求項４】
アナウンスメントデータ制御部が、アナウンスメントデータを形成する、アナウンスメントの各周期分に対応する複数の音声フレームの夫々を順次計数して漸次変化していくカウント値を得るカウンタ部と、上記複数の音声フレームのうちのエラーを伴うフレーム音声データを含むものを検出するエラーフレーム検出部と、該エラーフレーム検出部によりエラーを伴うフレーム音声データを含む音声フレームが検出されたとき、該エラーを伴うフレーム音声データを含む音声フレームについて上記カウンタ部により得られるカウント値が書き込まれるエラーフレームカウント値メモリ部と、上記カウンタ部から得られる所定の１周期分に対応する複数の音声フレームの夫々についてのカウント値であって上記エラーフレームカウント値メモリ部に書き込まれたカウント値以外のものと、上記所定の１周期分の次以降の１周期分に対応する複数の音声フレームについてのカウント値であって、上記エラーフレームカウント値メモリ部に書き込まれたカウント値に対応し、エラーを伴わないフレーム音声データを含む音声フレームについてのカウント値との夫々に対応する音声フレームが、メモリ部に書き込まれる状態を設定するメモリ制御部と、を備えて構成されることを特徴とする請求項３記載の放送信号受信装置。
【請求項５】
メモリ制御部が、制御ユニットから送出されるアナウンスメント周期検出出力が供給され、該アナウンスメント周期検出出力に応じて、カウンタ部のリセット、及び、エラーフレームカウント値メモリ部からのカウント値の読出しを行うことを特徴とする請求項４記載の放送信号受信装置。
【発明の詳細な説明】
【０００１】
【発明の属する技術分野】
本願の特許請求の範囲に記載された発明は、ディジタル音声放送（ＤＡＢ）のもとにおける放送信号（ディジタル音声放送信号）を受信し、受信されたディジタル音声放送信号からプログラムデータと制御用情報データとを再生するとともに、再生されたプログラムデータに基づく再生音声信号を得る放送信号受信装置に関する。
【０００２】
【従来の技術】
通常、“ラジオ放送”と呼ばれることが多い音声放送は、長年の間、音声情報信号を振幅変調（ＡＭ）音声信号として送信するＡＭ音声放送，音声情報信号を周波数変調（ＦＭ）音声信号として送信するＦＭ音声放送等のアナログ音声放送とされていたが、近年において、音声放送を、そのもとで送受信される音声情報の品質を向上させるべく、音声情報信号をディジタル音声信号として送信するディジタル音声放送となすことが提案されている。特に、ヨーロッパ地域にあっては、その一部において、ディジタル音声放送が、ＤＡＢ（Digital Audio Broad-casting)と称される放送システムとして、既に実用化されている。
【０００３】
ディジタル音声放送信号は、ディジタル音声信号を形成する音声情報データのみならず、それに加えて、例えば、天気予報，交通情報等を内容とするサービス情報データをも伝送し、さらに、受信側において音声情報データ及びサービス情報データを再生するとともに、音声情報データに基づくディジタル音声信号あるいはサービス情報データに基づくサービスデータを得るに際して必要とされる制御用情報データを伝送する。そして、音声情報データは、通常、複数のプログラムを夫々あらわす複数の音声プログラムデータを含むものとして得られ、これら、複数の音声プログラムデータには、所定のアナウンスメントをあらわすアナウンスメントデータが含まれる。また、サービス情報データも、通常、複数のプログラムを夫々あらわす複数のサービスプログラムデータを含むものとして得られる。
【０００４】
ディジタル音声放送信号により伝送される音声情報データ及びサービス情報データは、伝送にあたって生じるデータビット欠落，データビット変化等に起因する悪影響を最小限に止めるべく、タイム・インターリーブ処理が施されたものとされる。音声情報データ及びサービス情報データは、例えば、２４ｍｓ（２４ミリ秒）の時間長を有したロジカル・フレームと称される単位区分が順次連なる態様をもって伝送されるが、それに施されるタイム・インターリーブ処理は、例えば、連続する１６個のロジカル・フレームをインターリーブ完結区分として行われ、タイム・インターリーブ処理が施された連続する１６個のロジカル・フレーム分の音声情報データ及びサービス情報データは、再び、連続する１６個のロジカル・フレームを形成するものとされる。
【０００５】
このようなディジタル音声放送において送信されるディジタル音声放送信号の受信は、ディジタル音声放送信号受信装置を用いて行われる。ディジタル音声放送信号受信装置にあっては、ディジタル音声放送を行う各放送局により送信されるディジタル音声放送信号が、選局動作によって選択受信され、受信されたディジタル音声放送信号に対する復調処理が行われて、タイム・インターリーブ処理が施された音声情報データ及びサービス情報データと制御用情報データとが得られる。そして、タイム・インターリーブ処理が施された音声情報データ及びサービス情報データに対して、それに施されたタイム・インターリーブ処理を解除して、元の音声情報データ及びサービス情報データとするための、タイム・ディインターリーブ処理が施される。
【０００６】
続いて、制御用情報データが関与するもとで、タイム・ディインターリーブ処理が施された音声情報データ及びサービス情報データに基づく音声プログラムデータとサービスプログラムデータとが個別に得られ、音声プログラムデータについての復号化処理が行われてディジタル音声信号が再生され、そのディジタル音声信号に基づいて再生音声信号が得られるとともに、サービスプログラムデータについての復号化処理が行われて再生サービスデータが得られる。
【０００７】
【発明が解決しようとする課題】
上述の如くのディジタル音声放送信号受信装置により選択受信されるディジタル音声放送信号は、それに基づいて得られる音声情報データが、同一のアナウンスメントについての複数回の繰返しをあらわすアナウンスメントデータを含むとともに、その音声情報データに対応する制御用情報データが、アナウンスメントデータがあらわすアナウンスメントについての各種の情報、例えば、アナウンスメントのタイプ，アナウンスメントの開始時点，アナウンスメントの終了時点，アナウンスメントが新規のものか繰返しのものかの区別等々を伝えるものとされる。そして、ディジタル音声放送信号受信装置において、同一のアナウンスメントについての複数回の繰返しをあらわすアナウンスメントデータが選択されるとともに、そのアナウンスメントデータがメモリ部に格納され、その後任意のタイミングをもってメモリ部からアナウンスメントあらわすアナウンスメントデータが読み出されて、それに基づく音声アナウンスメントの再生が行われる状況が考えられる。
【０００８】
斯かる際、ディジタル音声放送信号受信装置により選択受信されるディジタル音声放送信号に含まれるアナウンスメントデータは、他の音声プログラムデータと同様に、部分的にエラーが生じたデータとされる虞がある。例えば、アナウンスメントデータは、それにおけるアナウンスメントの１周期分の夫々が複数の音声フレームの連なりによって形成されるが、斯かるアナウンスメントの１周期分に対応する複数の音声フレームが、それらのうちの一部がエラーを伴うものとされてしまう事態が生じ得るのである。
【０００９】
そして、アナウンスメントデータが部分的にエラーが生じたデータとされる場合には、そのアナウンスメントデータがメモリ部に格納されるにあたり、メモリ部に部分的にエラーが生じたアナウンスメントデータが格納されることになってしまう。従って、その後、メモリ部からそれに格納されたアナウンスメントデータが読み出されて、音声アナウンスメントの再生に供されるとき、メモリ部から読み出されたアナウンスメントデータに生じているエラーに起因して、音声アナウンスメントの適正な再生が行われなくなってしまう。
【００１０】
斯かる点に鑑み、本願の特許請求の範囲に記載された発明は、ディジタル音声放送信号を選択受信し、受信されたディジタル音声放送信号から音声情報データ及びサービス情報データを含むプログラムデータと制御用情報データとを再生するとともに、再生されたプログラムデータに基づく再生音声信号を得るに際して、プログラムデータが、同一のアナウンスメントについての複数回の繰返しをあらわすアナウンスメントデータとされた音声プログラムデータを含むとともに、そのプログラムデータに対応する制御用情報データが、アナウンスメントデータがあらわすアナウンスメントについての各種の情報を伝えるものとされるもとで、アナウンスメントデータのメモリ部への格納が行われるにあたり、アナウンスメントデータが部分的にエラーが生じたものとされることに起因してもたらされる不都合を、効果的に回避することができる放送信号受信装置を提供する。
【００１１】
【課題を解決するための手段】
本願の特許請求の範囲における請求項１から請求項５までのいずれかに記載された発明に係る放送信号受信装置は、ディジタル音声放送信号を選択受信する受信部と、受信部により受信されたディジタル音声放送信号に基づき、プログラムデータと制御用情報データとを再生するデータ再生部と、データ再生部により再生されたプログラムデータに基づく再生音声信号を得る音声信号出力部と、データ再生部により再生された制御用情報データが供給され、その制御用情報データにおけるプログラムデータに含まれるアナウンスメントデータに対応する部分に基づいて、アナウンスメントデータがあらわすアナウンスメントの周期を検出し、検出された周期をあらわすアナウンスメント周期検出出力を送出する制御ユニットと、データ再生部により再生されたプログラムデータの書込み及び読出しが行われるメモリ部と、アナウンスメントデータ制御部とを備え、アナウンスメントデータ制御部が、データ再生部により再生されたプログラムデータ及び制御ユニットから送出されるアナウンスメント周期検出出力が供給され、プログラムデータが所定の周期をもって複数回繰り返されるアナウンスメントをあらわすアナウンスメントデータであるとき、メモリ部に、アナウンスメントの１周期分をエラーを伴わないものとしてあらわすアナウンスメントデータの部分が書き込まれることになる状態を設定するものとされて、構成される。
【００１２】
特に、本願の特許請求の範囲における請求項３に記載された発明に係る放送信号受信装置は、上述の請求項１から請求項５までのいずれかに記載された発明に係る放送信号受信装置の構成を前提としたもとで、アナウンスメントデータ制御部が、アナウンスメントデータを形成する、アナウンスメントの１周期分に対応する複数の音声フレームの夫々に含まれるフレーム音声データを点検し、エラーを伴わないフレーム音声データのみがメモリ部に書き込まれる状態を設定するとともに、エラーを伴うフレーム音声データに代えて、次以降のアナウンスメントの１周期分に対応する複数の音声フレームに含まれるエラーを伴わないフレーム音声データであって、上述のエラーを伴うフレーム音声データに対応するものがメモリ部に書き込まれる状態を設定するものとされる。
【００１３】
このように構成される本願の特許請求の範囲における請求項１から請求項５までのいずれかに記載された発明に係る放送信号受信装置にあっては、データ再生部により、ディジタル音声放送信号に基づくプログラムデータと制御用情報データとが再生され、制御ユニットにより、制御用情報データに基づいてプログラムデータに含まれるアナウンスメントデータがあらわすアナウンスメントの周期が検出されて形成されるアナウンスメント周期検出出力が送出されるもとで、データ再生部からのプログラムデータ及び制御ユニットからのアナウンスメント周期検出出力が供給されるアナウンスメントデータ制御部により、プログラムデータが所定の周期をもって複数回繰り返されるアナウンスメントをあらわすアナウンスメントデータであるとき、メモリ部に、アナウンスメントの１周期分をエラーを伴わないものとしてあらわすアナウンスメントデータの部分が書き込まれることになる状態が設定される。
【００１４】
その際、アナウンスメントデータ制御部は、例えば、本願の特許請求の範囲における請求項３に記載された発明に係る放送信号受信装置における如くに、アナウンスメントデータを形成する、アナウンスメントの１周期分に対応する複数の音声フレームの夫々に含まれるフレーム音声データを点検し、エラーを伴わないフレーム音声データのみがメモリ部に書き込まれる状態を設定するとともに、エラーを伴うフレーム音声データに代えて、次以降のアナウンスメントの１周期分に対応する複数の音声フレームに含まれるエラーを伴わないフレーム音声データであって、上述のエラーを伴うフレーム音声データに対応するものがメモリ部に書き込まれる状態を設定するものとされる。
【００１５】
その結果、所定の周期をもって複数回繰り返されるアナウンスメントをあらわすアナウンスメントデータが部分的にエラーが生じたものとされる場合においても、メモリ部には、アナウンスメントの１周期分をエラーを伴なうことなくあらわすアナウンスメントデータが格納される状態が得られることになり、アナウンスメントデータが部分的にエラーが生じたものとされることに起因してもたらされる不都合が効果的に回避される。
【００１６】
【発明の実施の形態】
図１は、本願の特許請求の範囲における請求項１から請求項５までのいずれかに記載された発明に係る放送信号受信装置の一例を示す。この例にあっては、放送局から送信されて受信アンテナ２１により捉えられたディジタル音声放送信号が、選局受信部２２における選局受信動作によって選択受信される。
【００１７】
選局受信部２２において選択受信されるディジタル音声放送信号は、例えば、ディジタルデータが直交周波数分割多重変調（Orthogonal Frequency Divison  Multiplexing :ＯＦＤＭ）方式により変調されて得られた変調波信号とされ、そのディジタルデータは、伝送フレームと称されるフレーム単位が連なって構成される。
【００１８】
各伝送フレームは、図２のＡに一例が示される如く、例えば、９６ｍｓの時間長を有しており、同期チャンネルの部分，ファスト・インフォーメイション・チャンネル（ＦＩＣ）の部分、及び、メイン・サービス・チャンネル（ＭＳＣ）の部分を含んで形成される。ＭＳＣの部分は、図２のＢに示される如く、複数のコモン・インターリーブドゥ・フレーム（ＣＩＦ）の連なりによって構成されている。各ＣＩＦは、全体が５５，２９６ビットから成り、図２のＣに示される如く、０〜８６３までの合計８６４個のキャパシティ・ユニット（ＣＵ）が連なるものとされる。各キャパシティ・ユニットは６４ビットから成るユニットデータである。そして、このようなＭＳＣによって音声情報データであるプログラム情報データが伝送される。
【００１９】
ＭＳＣによって伝送されるプログラム情報データには、複数の音声プログラムデータと複数のサービスプログラムデータとが含まれる。そして、音声プログラムデータには、例えば、道路交通情報，地域天候情報，催し物情報等々に関する所定のアナウンスメントのためのアナウンスメントデータも含まれる。
【００２０】
また、ＦＩＣの部分は、図２のＢに示される如く、複数のファスト・インフォーメイション・ブロック（ＦＩＢ）の連なりによって構成されている。各ＦＩＢは、図２のＣに示される如く、２５６ビットから成り、ＦＩＢデータフィールドとエラー検出用ワードＣＲＣ（Cyclic Redundancy Check)とを含んでいる。さらに、各ＦＩＢデータフィールドは、図２のＤに示される如く、複数のファスト・インフォーメイション・グループ（ＦＩＧ）の連なりによって構成されており、各ＦＩＧは、図２のＥに示される如く、ＦＩＧヘッダとＦＩＧデータフィールドとを含んでいる。そして、このようなＦＩＣによって、多重構成情報（ Multi- plex Configuration Information :ＭＣＩ）及びその他の情報等をあらわす制御用情報データが伝送される。
【００２１】
このようなＦＩＣによって伝送される制御用情報データには、ＭＳＣによって伝送されるプログラム情報データに含まれるアナウンスメントデータに関するもの、例えば、アナウンスメントデータの開始時点，終了時点，アナウンスメントデータの内容が新規なものか繰返しのものか等々をあらわす複数のフラッグデータが含まれる。例えば、ＦＩＣを構成する複数のＦＩＧのうちの“ type 0, Ex-tension 19”と称されるもの (Extension 19 of FIG type 0 (FIG 0/19))により、ＭＳＣによって伝送されるプログラム情報データに含まれるアナウンスメントデータの伝送期間には“１”をとり、その他の期間において“０”をとるアナウンスメント・スイッチ・フラッグデータ（ＡＳフラッグデータ）と、ＭＳＣによって伝送されるプログラム情報データに含まれるアナウンスメントデータの内容が新規なものであるとき“１”をとり、ＭＳＣによって伝送されるプログラム情報データに含まれるアナウンスメントデータの内容が繰返しのものであるとき“０”をとるニューフラッグデータとが伝送される。さらに、ＦＩＣを構成する複数のＦＩＧのうちの他のものにより、ＭＳＣによって伝送されるプログラム情報データに含まれるアナウンスメントデータに関する他のフラッグデータが伝送される。
【００２２】
上述のＡＳフラッグデータもしくはニューフラッグデータが“０”から“１”に変化する時点は、ＭＳＣによって伝送されるプログラム情報データに含まれるアナウンスメントデータがあらわすアナウンスメントの開始時点に対応し、また、ＡＳフラッグデータもしくはニューフラッグデータが“１”から“０”に変化する時点は、ＭＳＣによって伝送されるプログラム情報データに含まれるアナウンスメントデータがあらわすアナウンスメントの終了時点に対応することになる。
【００２３】
選局受信部２２における選局動作は、動作制御部を形成する制御ユニット５０から供給される選局制御信号ＣＣＨに応じた選局制御、さらには、データ再生部２３に連結された同期制御信号形成部２４から供給される同期制御信号ＳＳＹに応じた周波数同期制御のもとに行われる。そして、選局受信部２２においては、選択受信されたディジタル音声放送信号に対する増幅処理，周波数変換処理等が行われて、選択受信されたディジタル音声放送信号についての中間周波数（ＩＦ）信号ＳＩＤが形成され、そのＩＦ信号ＳＩＤがデータ再生部２３に供給される。
【００２４】
データ再生部２３においては、選局受信部２２からのＩＦ信号ＳＩＤがアナログ／ディジタル（Ａ／Ｄ）変換部２５に供給され、Ａ／Ｄ変換部２３からＩＦ信号ＳＩＤに対応するディジタルＩＦ信号ＤＩＤが得られて、それが直交復調部２６に供給される。直交復調部２６においては、ディジタルＩＦ信号ＤＩＤに対して直交復調処理が施され、それにより、直交復調出力信号ＤＱＸが得られる。
【００２５】
直交復調部２４から得られる直交復調出力信号ＤＱＸは、高速フーリエ変換（ＦＦＴ）差動復調部２７に供給される。ＦＦＴ差動復調部２７においては、直交復調出力信号ＤＱＸについての時間ドメイン信号から周波数ドメイン信号への変換が行われ、ＦＦＴ差動復調部２７からは、直交復調出力信号ＤＱＸの各伝送フレームにおける同期チャンネルによって伝送される同期情報をあらわす同期情報データＤＲＳが得られるとともに、直交復調出力信号ＤＱＸの各伝送フレームにおけるＦＩＣ（ファスト・インフォーメイション・チャンネル）により伝送される制御用情報データとＭＳＣ（メイン・サービス・チャンネル）により伝送されるプログラム情報データとが形成する複合データＤＣＸが得られる。
【００２６】
ＦＦＴ差動復調部２７から得られる同期情報データＤＲＳは、同期制御信号形成部２４に供給されて、同期制御信号形成部２４における同期制御信号ＳＳＹの形成に供される。また、ＦＦＴ差動復調部２７から得られる複合データＤＣＸは、周波数ディインターリーブ部２８において、周波数インターリーブ状態を解除するための周波数ディインターリーブ処理が施されて複合データＤＣＸ’とされた後、プログラム選択部２９に供給される。
【００２７】
プログラム選択部２９には、制御ユニット５０からのプログラム選択制御信号ＣＰＲも供給される。そして、プログラム選択部２９においては、複合データＤＣＸ’を形成するＭＳＣにより伝送されたプログラム情報データとＦＩＣにより伝送された制御用情報データとが分離され、プログラム選択制御信号ＣＰＲに応じて、分離されたプログラム情報データに含まれる複数の音声プログラムデータのうちの一つもしくは複数のサービスプログラムデータのうちの一つを選択するプログラム選択が行われて、選択された音声プログラムデータもしくはサービスプログラムデータであるプログラムデータＤＰＤが得られるとともに、分離された制御用情報データが、制御用情報データＤＣＤとして得られる。
【００２８】
このようにして、プログラム選択部２９において得られるプログラムデータＤＰＤは、タイム・インターリーブ処理が施されたものとされている。斯かるプログラムデータＤＰＤは、コモン・インターリーブドゥ・フレーム（ＣＩＦ）に対応するものであって、例えば、２４ｍｓの時間長を有したロジカル・フレームが順次連なって構成されており、それに施されたタイム・インターリーブ処理は、例えば、連続する１６個のロジカル・フレームをインターリーブ完結区分として行われている。各ロジカル・フレームは、ユニットデータを形成するキャパシティ・ユニット（ＣＵ）が８６４個連なって構成される。
【００２９】
そして、プログラム選択部２９から得られるプログラムデータＤＰＤは、タイム・ディインターリーブ部３０に供給される。タイム・ディインターリーブ部３０は、タイム・インターリーブ処理が施されたプログラムデータＤＰＤに、タイム・ディインターリーブ処理を施す。その際には、例えば、先ず、プログラムデータＤＰＤが形成する順次連なるロジカル・フレームのうちの、各インターリーブ完結区分を成す連続する１６個から成る組の夫々について、１６個のロジカル・フレームの各々における複数のキャパシティ・ユニットが、順次、タイム・ディインターリーブ部３０に内蔵されたメモリに書き込まれて格納される。
【００３０】
続いて、１６個のロジカル・フレームの各々における複数のキャパシティ・ユニットの全部がメモリに格納された後に、メモリに格納された複数のキャパシティ・ユニットが、予め設定された所定の読出態様をもってメモリから読み出され、順次連なる１６個の新たなロジカル・フレームにおけるプログラムデータＤＰＤ’を形成すべく取り出される。その結果、タイム・ディインターリーブ部３０においては、タイム・インターリーブ処理を解除するタイム・ディインターリーブ処理が施されたプログラムデータＤＰＤ’が得られ、それがビタビ復号部３１に供給される。
【００３１】
一方、プログラム選択部２９から得られる制御用情報データＤＣＤは、直接にビタビ復号部３１に供給される。ビタビ復号部３１においては、プログラム選択部２９からの制御用情報データＤＣＤ及びタイム・ディインターリーブ部３０からのプログラムデータＤＰＤ’についての、尤最復号手法によるエラー訂正処理が行われる。その結果、ビタビ復号部３１から、エラー訂正処理が施されたプログラムデータＤＰＤ’及びエラー訂正処理がなされた制御用情報データＤＣＤが得られる。
【００３２】
このようにして、Ａ／Ｄ変換部２５からビタビ復号部３１までを含んで構成されるデータ再生部２３は、選局受信部２２により受信されたディジタル音声放送信号に基づき、プログラムデータＤＰＤ’と制御用情報データＤＣＤとを再生する動作を行う。そして、データ再生部２３におけるビタビ復号部３１から得られるプログラムデータＤＰＤ’が、データ選択部３２に供給されるとともに、データ再生部２３におけるビタビ復号部３１から得られる制御用情報データＤＣＤが、制御ユニット５０に供給される。
【００３３】
データ選択部３２からは、ビタビ復号部３１からのエラー訂正処理がなされたプログラムデータＤＰＤ’が音声プログラムデータであるとき音声プログラムデータＤＡＤが導出され、また、ビタビ復号部３１からのエラー訂正処理がなされたプログラムデータＤＰＤ’がサービスプログラムデータであるときサービスプログラムデータＤＳＤが導出される。
【００３４】
データ選択部３２から導出される音声プログラムデータＤＡＤは、データ切換部を形成するスイッチ３３の選択接点３３ａ，メモリ部３４及びアナウンスメントデータ制御部３５の夫々に供給される。また、データ選択部３２から導出されるサービスプログラムデータＤＳＤは、復号化部３９に供給される。復号化部３９においては、サービスプログラムデータＤＳＤに対する復号化処理が行われて、サービスプログラムデータＤＳＤに基づく再生サービスデータＤＳが得られる。そして、復号化部３９から得られる再生サービスデータＤＳが出力端子４０に導出される。
【００３５】
一方、データ再生部２３におけるビタビ復号部３１から得られる制御用情報データＤＣＤ供給される制御ユニット５０は、ビタビ復号部３１からの制御用情報データＤＣＤ，後述される高能率復号化部３６からのプログラム関連データＤＰＡ、さらには、遠隔操作制御部５１からの遠隔制御信号ＳＲを受ける受信部５２からの遠隔制御信号ＳＲに応じた制御コマンドＣＲ、もしくは、入力操作部５３からのそれにおける操作に応じた制御コマンドＣＸ等に応じて、選局制御信号ＣＣＨ，プログラム選択制御信号ＣＰＲ、さらには、制御データＤＶＤを形成し、選局制御信号ＣＣＨを選局受信部２２に、プログラム選択制御信号ＣＰＲをプログラム選択部２９に、さらには、制御データＤＶＤをビタビ復号部３１に夫々供給して、選局受信部２２，プログラム選択部２９及びビタビ復号部３１に対する動作制御を行う。
【００３６】
ビタビ復号部３１から制御ユニット５０に供給される制御用情報データＤＣＤは、ＦＩＣにより伝送されるデータであって、ＦＩＣを構成する複数のＦＩＧのうちの“ type 0, Extension 19 ” (FIG 0/19) によって伝送されるＡＳフラッグデータ及びニューフラッグデータ、さらには、他のフラッグデータを含んでいる。ＡＳフラッグデータは、プログラムデータＤＰＤ’に含まれるアナウンスメントデータの伝送期間には“１”をとり、その他の期間において“０”をとるフラッグデータであり、また、ニューフラッグデータは、プログラムデータＤＰＤ’に含まれるアナウンスメントデータの内容が新規なものであるとき“１”をとり、プログラムデータＤＰＤ’に含まれるアナウンスメントデータの内容が繰返しのものであるとき“０”をとるフラッグデータである。
【００３７】
制御ユニット５０においては、ビタビ復号部３１からの制御用情報データＤＣＤが、内蔵されたアナウンスメント周期検出部に供給される。アナウンスメント周期検出部は、制御用情報データＤＣＤに含まれるＡＳフラッグデータ及びニューフラッグデータを検出し、検出されたＡＳフラッグデータ及びニューフラッグデータに基づいて、プログラムデータＤＰＤ’に含まれるアナウンスメントデータがあらわす新規なアナウンスメントの開始時点及び終了時点を検出して内蔵メモリに記憶するとともに、プログラムデータＤＰＤ’に含まれるアナウンスメントデータがあらわす新規なアナウンスメントの周期の検出を行って、検出されたアナウンスメントの周期を内蔵メモリに記憶する。
【００３８】
また、アナウンスメント周期検出部は、検出されたアナウンスメントの開始時点及び終了時点、及び、検出されたアナウンスメントの周期の内蔵メモリへの記憶とともに、プログラムデータＤＰＤ’に含まれるアナウンスメントデータの伝送期間であること、従って、データ選択部３２からプログラムデータＤＰＤ’に基づいて得られる音声プログラムデータＤＡＤがアナウンスメントデータである期間であることをあらわすアナウンスメント判別データＤＡＮを、アナウンスメントデータ制御部３５へと送出する動作、及び、検出されたアナウンスメントの周期をあらわすアナウンスメント周期検出出力をアナウンスメント周期データＤＡＰとして、アナウンスメントデータ制御部３５へと送出する動作を行う。
【００３９】
斯かる際において、アナウンスメント周期検出部は、上述の新規なアナウンスメントの開始時点及び終了時点の検出、さらには、新規なアナウンスメントの周期の検出にあたり、先ず、ＡＳフラッグデータが“１”であって、プログラムデータＤＰＤ’に含まれるアナウンスメントデータの伝送期間中であるか、ＡＳフラッグデータが“０”であって、プログラムデータＤＰＤ’に含まれるアナウンスメントデータの伝送期間中でないかを検知する。そして、ＡＳフラッグデータが“０”である場合には、アナウンスメントの開始時点を検出するためのアナウンスメント開始時点検出待ち状態をとって、ＡＳフラッグデータが“１”となる状態を待つ。
【００４０】
一方、ＡＳフラッグデータが“１”である場合、あるいは、ＡＳフラッグデータが“０”から“１”になった場合には、ニューフラッグデータが“０”から“１”に変化する時点を捉えて、プログラムデータＤＰＤ’に含まれるアナウンスメントデータがあらわす新規なアナウンスメントの開始時点を検出するとともに、それを検出されたアナウンスメント開始時点として内蔵メモリに記憶し、その後、アナウンスメントの終了時点を検出するためのアナウンスメント終了時点検出待ち状態をとって、ニューフラッグデータが“１”から“０”に変化する時点を待つ。そして、ニューフラッグデータが“１”から“０”に変化する時点を捉えて、プログラムデータＤＰＤ’に含まれるアナウンスメントデータがあらわす新規なアナウンスメントの終了時点を検出するとともに、それを検出されたアナウンスメント終了時点として内蔵メモリに記憶する。そして、検出されたアナウンスメント開始時点とアナウンスメント終了時点とから、当該新規なアナウンスメントの周期を検出し、それを検出されたアナウンスメント周期として内蔵メモリに記憶する。また、それとともに、アナウンスメント判別データＤＡＮとアナウンスメント周期データＤＡＰとを形成して、それらをアナウンスメントデータ制御部３５へと送出する。
【００４１】
さらに、制御ユニット５０は、遠隔操作制御部５１からの遠隔制御信号ＳＲを受ける受信部５２からの遠隔制御信号ＳＲに応じた制御コマンドＣＲ、もしくは、入力操作部５３からのそれにおける操作に応じた制御コマンドＣＸに応じてメモリ読出指令信号ＣＭＲを形成し、それをアナウンスメントデータ制御部３５に供給する。
【００４２】
アナウンスメントデータ制御部３５は、データ選択部３２からの音声プログラムデータＤＡＤと制御ユニット５０に内蔵されたアナウンスメント周期検出部からのアナウンスメント判別データＤＡＮ及びアナウンスメント周期データＤＡＰとが供給されるもとで、音声プログラムデータＤＡＤが所定の周期をもって複数回繰り返されるアナウンスメントをあらわすアナウンスメントデータであるとき、メモリ部３４に、それにデータ選択部３２からの音声プログラムデータＤＡＤとして供給されるアナウンスメントデータにおける、アナウンスメントの１周期分をエラーを伴わないものとしてあらわす部分が書き込まれることになる状態を設定する。それにより、音声プログラムデータＤＡＤが所定の周期をもって複数回繰り返されるアナウンスメントをあらわすアナウンスメントデータであるとき、メモリ部３４には、アナウンスメントの１周期分をエラーを伴わないものとしてあらわす１周期アナウンスメントデータの書込みが行われる。斯かる際におけるメモリ部３４への１周期アナウンスメントデータの書込みは、アナウンスメントデータ制御部３５からメモリ部３４に供給される書込制御信号ＱＷに従って行われる。
【００４３】
また、アナウンスメントデータ制御部３５は、メモリ部３４に１周期アナウンスメントデータが格納されたもとで、制御ユニット５０からのメモリ読出指令信号ＣＭＲに応じて、メモリ部３４に格納された１周期アナウンスメントデータが読み出され、読み出された１周期アナウンスメントデータが音声プログラムデータＤＡＤ’としてスイッチ３３の選択接点３３ｂに供給されることになる状態を設定する。斯かる際におけるメモリ部３４からの１周期アナウンスメントデータの読出しは、アナウンスメントデータ制御部３５からメモリ部３４に供給される読出制御信号ＱＲに従って、１回だけ、もしくは、複数回繰り返されて行われる。
【００４４】
さらに、アナウンスメントデータ制御部３５は、スイッチ３３の状態を制御するための切換制御信号ＣＳを形成して、それをスイッチ３３に供給する。この切換制御信号ＣＳは、例えば、メモリ部３４に格納された１周期アナウンスメントデータの読出しが行われて、読み出された１周期アナウンスメントデータが音声プログラムデータＤＡＤ’としてスイッチ３３の選択接点３３ｂに供給されることになる期間において、スイッチ３３にその可動接点３３ｃが選択接点３３ｂに接続される状態をとらせ、その他の期間においては、スイッチ３３にその可動接点３３ｃが選択接点３３ａに接続される状態をとらせるものとされる。それにより、メモリ部３４からの１周期アナウンスメントデータが音声プログラムデータＤＡＤ’としてスイッチ３３の選択接点３３ｂに供給されるとき、スイッチ３３の可動接点３３ｃに音声プログラムデータＤＡＤ’が導出され、それ以外のとき、スイッチ３３の可動接点３３ｃにデータ選択部３２からの音声プログラムデータＤＡＤが導出される。
【００４５】
スイッチ３３の可動接点３３ｃに導出される音声プログラムデータＤＡＤもしくはＤＡＤ’は、高能率復号化部３６に供給される。高能率復号化部３６においては、音声プログラムデータＤＡＤもしくはＤＡＤ’に対する高能率復号化処理が行われて、高能率符号化処理により圧縮されたデータが伸長され、復号化された音声データＤＡが得られる。また、高能率復号化部３６からは、音声プログラムデータＤＡＤもしくはＤＡＤ’に含まれたプログラム関連データＤＰＡが得られて制御ユニット５０に供給される。
【００４６】
音声プログラムデータＤＡＤもしくはＤＡＤ’に含まれたプログラム関連データＤＰＡは、例えば、図３に示される如くのものとされる、音声プログラムデータＤＡＤもしくはＤＡＤ’を形成する２４ｍｓの時間長を有したデータ単位区分である音声フレームにおける、音声データに続く部分に配された不定長プログラム関連データＸ−ＰＡＤと固定長プログラム関連データＦ−ＰＡＤとを含むものとされる。そして、プログラム関連データＤＰＡは、それが所属する音声フレームにおける音声データの内容に関する各種の情報をあらわす。
【００４７】
高能率復号化部３６から得られる復号化された音声データＤＡは、ディジタル／アナログ（Ｄ／Ａ）変換部３７に供給されてアナログ化され、Ｄ／Ａ変換部３７において音声データＤＡに対応する再生音声信号ＳＡが形成される。そして、Ｄ／Ａ変換部３７において得られた再生音声信号ＳＡが出力端子３８に導出される。このようなもとで、高能率復号化部３６及びＤ／Ａ変換部３７は、データ選択部３２により選択された音声プログラムデータＤＡＤ、もしくは、メモリ部３４から読み出された１周期アナウンスメントデータである音声プログラムデータＤＡＤ’に基づく再生音声信号を得る音声信号出力部を構成している。
【００４８】
出力端子３８に導出される再生音声信号ＳＡは、例えば、スピーカ等を含んで構成される音声再生部に供給されて、音声プログラムデータＤＡＤもしくはＤＡＤ’があらわす音声情報に基づく音声の再生に供される。
【００４９】
再生音声信号ＳＡが音声プログラムデータＤＡＤ’に基づいて得られる場合には、音声再生部からそのアナウンスメントデータがあらわすアナウンスメントが発せられる。斯かるアナウンスメントは、メモリ部３４から読み出された１周期アナウンスメントデータである音声プログラムデータＤＡＤ’、即ち、アナウンスメントの１周期分をエラーを伴わないものとしてあらわす１周期アナウンスメントデータに基づく再生音声とされるので、例えば、データ選択部３２から音声プログラムデータＤＡＤとして得られる所定の周期をもって複数回繰り返されるアナウンスメントをあらわすアナウンスメントデータが、部分的にエラーが生じたものとされたもとにおいても、そのエラーの影響を受けない高品質なものとされる。従って、データ選択部３２から得られるアナウンスメントデータが部分的にエラーが生じたものとされることに起因してもたらされる不都合が、効果的に回避されることになる。
【００５０】
図４は、アナウンスメントデータ制御部３５の具体構成例を示す。図４に示される例にあっては、データ選択部３２からの音声プログラムデータＤＡＤが、音声フレームカウンタ部６１とエラーフレーム検出部６２とに供給される。音声プログラムデータＤＡＤは、図３に示される如くの音声フレームが連なって形成されており、音声プログラムデータＤＡＤが所定の周期をもって複数回繰り返されるアナウンスメントをあらわすアナウンスメントデータである場合には、連続する所定数、例えば、５個の音声フレームが、アナウンスメントの１周期に対応する。即ち、アナウンスメントの１周期分をあらわすアナウンスメントデータは、連続する所定数、例えば、５個の音声フレームによって形成されることになる。
【００５１】
音声フレームカウンタ部６１は、音声プログラムデータＤＡＤを形成する音声フレームの連なりに含まれる各音声フレームについて、それが到来する毎に順次計数して漸次変化していくカウント値をあらわすカウント値データＤＴを送出する。そして、音声フレームカウンタ部６１から送出されるカウント値データＤＴは、エラーフレームカウント値メモリ部６３及びメモリ制御部６４の夫々に供給される。
【００５２】
また、エラーフレーム検出部６２は、音声プログラムデータＤＡＤを形成する音声フレームの連なりに含まれる、エラーを伴うフレーム音声データを含む音声フレーム（以下、エラーフレームという）についての検出を行い、エラーフレームが検出されたときには、エラーフレーム検出出力信号ＳＥＲを形成して、それをエラーフレームカウント値メモリ部６３及びメモリ制御部６４の夫々に供給する。エラーフレームカウント値メモリ部６３は、その書込可能状態と読出可能状態とがメモリ制御部６４から送出される制御信号ＣＲＳによって制御される。
【００５３】
メモリ制御部６４には、制御ユニット５０からのアナウンスメント判別データＤＡＮ，アナウンスメント周期データＤＡＰ及びメモリ読出指令信号ＣＭＲも供給される。そして、メモリ制御部６４は、エラーフレームカウント値メモリ部６３に制御信号ＣＲＳを供給しないときには、エラーフレームカウント値メモリ部６３を書込可能状態に維持する。
【００５４】
さらに、メモリ制御部６４は、アナウンスメント判別データＤＡＮ及びアナウンスメント周期データＤＡＰに応じて、アナウンスメント周期データＤＡＰがあらわすアナウンスメントの周期の開始毎に、カウント・リセット信号ＣＲＥを音声フレームカウンタ部６１へと送出し、音声フレームカウンタ部６１にカウント・リセットを行わせる。それにより、音声フレームカウンタ部６１は、音声プログラムデータＤＡＤが所定の周期をもって複数回繰り返されるアナウンスメントをあらわすアナウンスメントデータであるもとでは、そのアナウンスメントデータを形成する、アナウンスメントの各周期分に対応する所定の数、例えば、５個の音声フレームの夫々を順次計数して漸次変化していくカウント値をあらわすカウント値データＤＴを得る動作を繰り返すことになる。
【００５５】
斯かるもとで、音声プログラムデータＤＡＤが所定の周期をもって複数回繰り返されるアナウンスメントをあらわすアナウンスメントデータとされるときには、先ず、音声フレームカウンタ部６１により、図５のＡに示される如くの、アナウンスメントデータにおける１周期目のアナウンスメントに対応する５個の音声フレーム：音声フレーム０〜音声フレーム４についての計数が順次行われ、それにより得られるカウント値データＤＴが、エラーフレームカウント値メモリ部６３及びメモリ制御部６４に供給される。メモリ制御部６４は、音声フレームカウンタ部６１からのカウント値データＤＴに応じて、順次変化する書込制御信号ＱＷを送出して、それをメモリ部３４に供給する。それにより、メモリ部３４に、音声フレームカウンタ部６１による計数が行われるアナウンスメントデータにおける１周期目のアナウンスメントに対応する５個の音声フレーム：音声フレーム０〜音声フレーム４が順次書き込まれていく状態がとられる。
【００５６】
このとき、エラーフレーム検出部６２は、音声フレームカウンタ部６１による計数が行われるアナウンスメントデータにおける１周期目のアナウンスメントに対応する５個の音声フレーム：音声フレーム０〜音声フレーム４のうちに、例えば、図５のＡにおける音声フレーム３の如くの、エラーフレームがあると、そのエラーフレームを検出して、エラーフレーム検出出力信号ＳＥＲをエラーフレームカウント値メモリ部６３及びメモリ制御部６４の夫々に供給する。
【００５７】
エラーフレームカウント値メモリ部６３にあっては、エラーフレーム検出部６２からのエラーフレーム検出出力信号ＳＥＲに応じて、そのときの音声フレームカウンタ部６１からのカウント値データＤＴがあらわすカウント値、即ち、アナウンスメントデータにおける１周期目のアナウンスメントに対応する５個の音声フレーム：音声フレーム０〜音声フレーム４のうちのエラーフレームである音声フレーム３に対応するカウント値が書き込まれて記憶される。
【００５８】
また、メモリ制御部６４は、エラーフレーム検出部６２からのエラーフレーム検出出力信号ＳＥＲに応じて、そのときの音声フレームカウンタ部６１からのカウント値データＤＴがあらわすカウント値、即ち、アナウンスメントデータにおける１周期目のアナウンスメントに対応する５個の音声フレーム：音声フレーム０〜音声フレーム４のうちのエラーフレームである音声フレーム３に対応するカウント値に応じた書込制御信号ＱＷのメモリ部３４への送出を停止する。その結果、メモリ部３４において、音声フレームカウンタ部６１による計数が行われるアナウンスメントデータにおける１周期目のアナウンスメントに対応する５個の音声フレーム：音声フレーム０〜音声フレーム４のうちのエラーフレームである音声フレーム３については、書込みが行われない状態がとられる。
【００５９】
従って、図５のＡに示される如く、アナウンスメントデータにおける１周期目のアナウンスメントに対応する５個の音声フレーム：音声フレーム０〜音声フレーム４については、それらのうちのエラーを伴わないフレーム音声データを含む音声フレームである音声フレーム０，音声フレーム１，音声フレーム２及び音声フレーム４がメモリ部３４に書き込まれ、エラーフレームである音声フレーム３はメモリ部３４に書き込まれないことになる。
【００６０】
続いて、アナウンスメントデータにおける１周期目のアナウンスメントに対応する５個の音声フレーム：音声フレーム０〜音声フレーム４の音声フレームカウンタ部６１への供給が終了し、それに続いて、図５のＢに示される如くの、アナウンスメントデータにおける２周期目のアナウンスメントに対応する５個の音声フレーム：音声フレーム０〜音声フレーム４の音声フレームカウンタ部６１への供給が開始されると、メモリ制御部６４は、制御ユニット５０からのアナウンスメント判別データＤＡＮ及びアナウンスメント周期データＤＡＰに応じて、メモリ・リセット信号ＣＲＥを音声フレームカウンタ部６１に供給するとともに、制御信号ＣＲＳをエラーフレームカウント値メモリ部６３に供給する。
【００６１】
それにより、音声フレームカウンタ部６１が、メモリ制御部６４からのカウント・リセット信号ＣＲＥによってカウント・リセットを行って、アナウンスメントデータにおける２周期目のアナウンスメントに対応する５個の音声フレーム：音声フレーム０〜音声フレーム４を順次計数する状態におかれ、その結果得られるカウント値データＤＴがエラーフレームカウント値メモリ部６３及びメモリ制御部６４に供給される。また、エラーフレームカウント値メモリ部６３から、それに格納されたアナウンスメントデータにおける１周期目のアナウンスメントに対応する５個の音声フレーム：音声フレーム０〜音声フレーム４のうちのエラーフレームである音声フレーム３に対応するカウント値が読み出され、エラーフレームカウント値ＤＴＥとしてメモリ制御部６４に供給される。
【００６２】
メモリ制御部６４は、エラーフレームカウント値メモリ部６３から読み出されたエラーフレームカウント値ＤＴＥが供給されると、そのエラーフレームカウント値ＤＴＥを保持し、音声フレームカウンタ部６１からのカウント値データＤＴがあらわすカウント値と、エラーフレームカウント値ＤＴＥ、即ち、音声フレーム３に対応するカウント値とを比較し、音声フレームカウンタ部６１からのカウント値データＤＴがあらわすカウント値が、エラーフレームカウント値ＤＴＥ、即ち、音声フレーム３に対応するカウント値に一致したとき、エラーフレーム検出部６２からのエラーフレーム検出出力信号ＳＥＲが供給されていないことを条件にして、音声フレームカウンタ部６１からのカウント値データＤＴがあらわすカウント値、即ち、音声フレーム３に対応するカウント値に応じた書込制御信号ＱＷをメモリ部３４へと送出する。それにより、図５のＢに示される如く、メモリ部３４において、音声フレームカウンタ部６１による計数が行われたアナウンスメントデータにおける２周期目のアナウンスメントに対応する５個の音声フレーム：音声フレーム０〜音声フレーム４のうちの音声フレーム３についての書込みが行われる。斯かる音声フレーム３は、エラーフレーム検出部６２からエラーフレーム検出出力信号ＳＥＲが送出されないことからして、エラーを伴わないフレーム音声データを含む音声フレームである。
【００６３】
その結果、メモリ部３４には、先になされた音声フレーム０，音声フレーム１，音声フレーム２及び音声フレーム４についての書込みに加えて、音声フレーム３についての書込みがなされ、アナウンスメントの１周期分、即ち、音声フレーム０〜音声フレーム４を、エラーを伴わないものとしてあらわすアナウンスメントデータの部分が書き込まれたことになる。このようにして、メモリ部３４に、アナウンスメントの１周期分をエラーを伴わないものとしてあらわすアナウンスメントデータの部分が書き込まれると、メモリ制御部６４は、それ以上の書込制御信号ＱＷのメモリ部３４への送出を行わず、従って、メモリ部３４におけるアナウンスメントデータを形成する音声フレームの書込みは行われない。
【００６４】
また、メモリ制御部６４は、音声フレームカウンタ部６１からのカウント値データＤＴがあらわすカウント値が、エラーフレームカウント値ＤＴＥ、即ち、音声フレーム３に対応するカウント値に一致したとき、エラーフレーム検出部６２からのエラーフレーム検出出力信号ＳＥＲが供給される場合には、アナウンスメントデータにおける２周期目のアナウンスメントに対応する５個の音声フレーム：音声フレーム０〜音声フレーム４における音声フレーム３も、エラーフレームであるので、そのとき音声フレームカウンタ部６１からのカウント値データＤＴがあらわすカウント値、即ち、音声フレーム３に対応するカウント値に応じた書込制御信号ＱＷのメモリ部３４への送出を行わない。そして、アナウンスメントデータにおける３周期目のアナウンスメントに対応する５個の音声フレーム：音声フレーム０〜音声フレーム４について、上述のアナウンスメントデータにおける２周期目のアナウンスメントに対応する５個の音声フレーム：音声フレーム０〜音声フレーム４の場合と同様な処理を行い、斯かる処理を、音声フレーム３が、エラーを伴わないフレーム音声データを含む音声フレームとして得られ、それがメモリ部３４に書き込まれるまで繰り返す。
【００６５】
その後、メモリ制御部６４は、制御ユニット５０からのメモリ読出指令信号ＣＭＲが供給されると、そのメモリ読出指令信号ＣＭＲに応じて、読出制御信号ＱＲをメモリ部３４へと送出するとともに、スイッチ３３にその可動接点３３ｃが選択接点３３ｂに接続される状態をとらせる切換制御信号ＣＳをスイッチ３３へと送出する。それにより、メモリ部３４から、アナウンスメントの１周期分、即ち、音声フレーム０〜音声フレーム４を、エラーを伴わないものとしてあらわすアナウンスメントデータの部分が、１回もしくは所定の回数繰り返して読み出されて、音声プログラムデータＤＡＤ’としてスイッチ３３の選択接点３３ｂに供給され、それがスイッチ３３の選択接点３３ｂ及び可動接点３３ｃを通じて高能率復号化部３６に供給される状態とされる。
【００６６】
【発明の効果】
以上の説明から明らかな如く、本願の特許請求の範囲における請求項１から請求項５までのいずれかに記載された発明に係る放送信号受信装置においては、データ再生部により、ディジタル音声放送信号に基づくプログラムデータと制御用情報データとが再生され、制御ユニットから、制御用情報データに基づいてプログラムデータに含まれるアナウンスメントデータがあらわすアナウンスメントの周期が検出されて形成されるアナウンスメント周期検出出力が送出されるもとで、データ再生部からのプログラムデータ及び制御ユニットからのアナウンスメント周期検出出力が供給されるアナウンスメントデータ制御部により、プログラムデータが所定の周期をもって複数回繰り返されるアナウンスメントをあらわすアナウンスメントデータであるとき、メモリ部に、アナウンスメントの１周期分をエラーを伴わないものとしてあらわすアナウンスメントデータの部分が書き込まれることになる状態が設定される。
【００６７】
その際、アナウンスメントデータ制御部は、例えば、本願の特許請求の範囲における請求項３に記載された発明に係る放送信号受信装置における如くに、アナウンスメントデータを形成する、アナウンスメントの１周期分に対応する複数の音声フレームの夫々に含まれるフレーム音声データを点検し、エラーを伴わないフレーム音声データのみがメモリ部に書き込まれる状態を設定するとともに、エラーを伴うフレーム音声データに代えて、次以降のアナウンスメントの１周期分に対応する複数の音声フレームに含まれるエラーを伴わないフレーム音声データであって、上述のエラーを伴うフレーム音声データに対応するものがメモリ部に書き込まれる状態を設定するものとされる。
【００６８】
従って、本願の特許請求の範囲における請求項１から請求項５までのいずれかに記載された発明に係る放送信号受信装置によれば、所定の周期をもって複数回繰り返されるアナウンスメントをあらわすアナウンスメントデータが部分的にエラーが生じたものとされる場合においても、メモリ部に、アナウンスメントの１周期分をエラーを伴なうことなくあらわすアナウンスメントデータを格納することができ、アナウンスメントデータが部分的にエラーが生じたものとされることに起因してもたらされる不都合を効果的に回避できる。
【図面の簡単な説明】
【図１】  本願の特許請求の範囲における請求項１から請求項５までのいずれかに記載された発明に係る放送信号受信装置の一例を示すブロック構成図である。
【図２】  図１に示される例により受信されるディジタル音声放送信号の説明に供される信号フォーマットである。
【図３】  図１に示される例において得られる音声プログラムデータの説明に供されるデータフォーマットである。
【図４】  図１に示される例におけるアナウンスメントデータ制御部の具体構成例を示すブロック構成図である。
【図５】  図４に示されるアナウンスメントデータ制御部の具体構成例の動作説明に供される概念図である。
【符号の説明】
２１・・・受信アンテナ，  ２２・・・選局受信部，  ２３・・・データ再生部，  ２４・・・同期制御信号形成部，  ２５・・・Ａ／Ｄ変換部，  ２６・・・直交復調部，  ２７・・・ＦＦＴ差動復調部，  ２８・・・周波数ディインターリーブ部，  ２９・・・プログラム選択部，  ３０・・・タイム・ディインターリーブ部，  ３１・・・ビタビ復号部，  ３２・・・データ選択部，  ３３・・・スイッチ，  ３４・・・メモリ部，  ３５・・・アナウンスメントデータ制御部，  ３６・・・高能率復号化部，  ３７・・・Ｄ／Ａ変換部，  ３９・・・復号化部，  ５０・・・制御ユニット，  ５１・・・遠隔操作制御部，  ５２・・・受信部，  ５３・・入力操作部，  ６１・・・音声フレームカウンタ部，  ６２・・・エラーフレーム検出部，  ６３・・・エラーフレームカウント値メモリ部，  ６４・・・メモリ制御部
【図１】
0004110342.tif 000002
【図２】
0004110342.tif 000003
【図３】
0004110342.tif 000004
【図４】
0004110342.tif 000005
【図５】
0004110342.tif 000006